(57)【要約】【課題】ある識別子体系を用いて電子データに関連付けられた物体を他の識別子体系を用いて当該電子データに再び関連付ける作業を容易とすることができる技術を提供する。【解決手段】アノトペン１０１が、検体に関連付けるべき依頼データを、検体容器に付される患者属性シールにより示される患者属性データと対応付けて記憶および送信し、検査データサーバ装置３０は、依頼データを受信し記憶する。携帯電話機４０は、検体容器に付された患者属性シールにより示される患者属性データと、検体容器に付されるバーコードシールにより示されるバーコード情報とを対応付けて送信する。検査データサーバ装置３０は、携帯電話機４０により送信された患者属性データを記憶している場合に、バーコード情報を患者属性データに対応付けて記憶する。【選択図】      図１
2004341829.tif 000002
【特許請求の範囲】
【請求項１】
第１の識別子を示す第１の識別票を物体に付す一方、該物体に関連付けるべき電子データを該第１の識別子に対応付けて記憶手段に書き込む関連付けステップと、
前記物体に付された第１の識別票から第１の識別子を読み取って入力する一方、該物体に付される第２の識別票で示される第２の識別子を入力する入力ステップと、
前記入力された第２の識別子を、前記入力された第１の識別子に対応付けて前記記憶手段に書き込む再関連付けステップと
を有する関連付け方法。
【請求項２】
前記入力ステップは、
バーコード画像が印刷された前記第２の識別票を前記物体に付すステップと、
該第２の識別票からバーコード画像を読み取るステップと、
前記読み取られたバーコード画像から該第２の識別子を特定するステップと、
前記物体に付された第１の識別票から第１の識別子を読み取って入力するステップとを含む
ことを特徴とする請求項１に記載の関連付け方法。
【請求項３】
第１の識別子を示す第１の識別票と、
物体に関連付けるべき電子データを、該物体に付される前記第１の識別票により示される第１の識別子と対応付けて記憶および送信する第１の管理装置と、
前記第１の管理装置から対応付けて送信された一組の電子データを受信し記憶する第２の管理装置と、
第２の識別子を示す第２の識別票と、
前記物体に付された第１の識別票により示される第１の識別子と該物体に付される第２の識別票により示される第２の識別子とを対応付けて入力する入力装置と
を有し、
前記第２の管理装置は、前記入力装置により入力された第１の識別子を記憶している場合に、該第１の識別子に対応付けて前記入力装置により入力された第２の識別子を、該第１の識別子に対応付けて記憶する
ことを特徴とする連携システム。
【請求項４】
前記入力装置は、
前記物体に付された第１の識別票により示される第１の識別子と該物体に付される第２の識別票により示される第２の識別子とを対応付けて入力する入力手段と、
前記入力手段により対応付けて入力された第１の識別子および第２の識別子を無線通信により送信する送信手段と
を有し、
前記第２の管理装置は、
前記送信手段により送信された第１の識別子および第２の識別子を受信する受信手段と、
前記受信手段により受信された第１の識別子を記憶している場合に、前記受信装置により受信された第２の識別子を、該第１の識別子に対応付けて記憶する
ことを特徴とする請求項３に記載の連携システム。
【請求項５】
用紙にインクを転写するときに、ペン先周囲の画像を読み取り、該画像から一意に定まる値を送信するペンと、
前記ペンから送信された値を受信し、該値に基づいて、前記用紙に記入された内容を表す電子データを生成する生成装置と
を有し、
前記第１の管理装置は、前記生成装置により生成された電子データを、該電子データの生成に用いられた前記用紙に対応付けられた前記物体に付される前記第１の識別票により示される第１の識別子と対応付けて記憶および送信する
ことを特徴とする請求項３に記載の連携システム。
【発明の詳細な説明】
【０００１】
【発明の属する技術分野】
本発明は、物体と当該物体に関連付けられた電子データとをシステム間で受け渡す技術に関する。
【０００２】
【従来の技術】
病院の医者が、患者から採取した検体の検査を外部の検査センタに依頼するときには、検体の入った検体容器と検査を依頼するための検査依頼票とが、病院から検査センタまで交通手段により運搬される。したがって、検査依頼票が作成されてから、検査センタに届けられるまでに、ある程度の時間がかかる。また、この時間は、交通事情や運搬の時間間隔などに依存するから、医者の予想を越えて長くなることもあった。
【０００３】
一方、疾病の早期発見・早期治療の観点から、医師等が検査依頼票を作成してから検査結果を得るまでにかかる時間（以後、検査応答時間という）の短縮が望まれている。しかし、検査センタの作業員は、検査依頼票が届いて初めて依頼内容を把握することになるため、検査依頼票を交通手段により運搬する従来のシステムでは、検査応答時間を十分に短縮することは困難である。
【０００４】
この問題を解決可能なシステムとして、病院において検査依頼票を電子化し、電子化された検査依頼票を検査センタへ送信して検査を依頼するシステムが考えられる。検査依頼票を電子化する技術としては、例えば、ＯＣＲを用いた技術が挙げられる（例えば、特許文献１参照。）。
【０００５】
【特許文献１】
特開２００１−６０２３０号公報
【０００６】
【発明が解決しようとする課題】
上述したように、電子化された検査依頼票を検査センタへ送信するようにすれば、検査応答時間を十分に短縮することができるかに見える。しかし、検査応答時間が十分に短縮されるとは限らない。理由は以下に述べる通りである。
検査センタは、一般に、病院から独立しており、複数の病院からの依頼を受ける。このため、ある病院において、検体容器と電子化された検査依頼票とを関連付けるために識別子が用いられていたとしても、この識別子の体系をそのまま検査センタにおける管理に使用することは困難である。結局、検査センタは、独自の識別子体系を用いて、検体容器と検査依頼票とを関連付けることになる。つまり、病院において関連付けられた検体容器と検査依頼票とを、検査センタにて再び関連付ける必要がある。この再関連付け作業が複雑であれば、検査応答時間も長くなってしまう。
【０００７】
本発明は、上述した事情に鑑みて為されたものであり、ある識別子体系を用いて電子データに関連付けられた物体を他の識別子体系を用いて当該電子データに再び関連付ける作業を容易とすることができる技術を提供することを目的とする。
【０００８】
【課題を解決するための手段】
上述した課題を解決するため、本発明は、第１の識別子を示す第１の識別票を物体に付す一方、該物体に関連付けるべき電子データを該第１の識別子に対応付けて記憶手段に書き込む関連付けステップと、前記物体に付された第１の識別票から第１の識別子を読み取って入力する一方、該物体に付される第２の識別票で示される第２の識別子を入力する入力ステップと、前記入力された第２の識別子を、前記入力された第１の識別子に対応付けて前記記憶手段に書き込む再関連付けステップとを有する関連付け方法を提供する。
【０００９】
また、本発明は、第１の識別子を示す第１の識別票と、物体に関連付けるべき電子データを、該物体に付される前記第１の識別票により示される第１の識別子と対応付けて記憶および送信する第１の管理装置と、前記第１の管理装置から対応付けて送信された一組の電子データを受信し記憶する第２の管理装置と、第２の識別子を示す第２の識別票と、前記物体に付された第１の識別票により示される第１の識別子と該物体に付される第２の識別票により示される第２の識別子とを対応付けて入力する入力装置とを有し、前記第２の管理装置は、前記入力装置により入力された第１の識別子を記憶している場合に、該第１の識別子に対応付けて前記入力装置により入力された第２の識別子を、該第１の識別子に対応付けて記憶することを特徴とする連携システムを提供する。
【００１０】
本発明によれば、第１の管理装置が、物体に関連付けるべき電子データを、該物体に付される前記第１の識別票により示される第１の識別子と対応付けて記憶および送信し、第２の管理装置は、前記第１の管理装置から対応付けて送信された一組の電子データを受信し記憶する。
入力装置は、前記物体に付された第１の識別票により示される第１の識別子と該物体に付される第２の識別票により示される第２の識別子とを対応付けて入力する。前記第２の管理装置は、前記入力装置により入力された第１の識別子を記憶している場合に、該第１の識別子に対応付けて前記入力装置により入力された第２の識別子を、該第１の識別子に対応付けて記憶する。
【００１１】
【発明の実施の形態】
以下、図面を参照して、この発明の実施形態について説明する。
［１．構成］
まず、本実施形態の構成について説明する。
図１は、本実施形態に係る検査オーダリングシステム１の全体構成を示すブロック図である。図１に示すように、この検査オーダリングシステム１は、病院内システム１０、通信ネットワーク２０、検査データサーバ装置３０、及び携帯電話機４０を備えている。
この検査オーダリングシステム１は、後述するように、アノト技術を用いてデータをデータベース化して管理するためのシステムである。
また、本実施形態においては、検査オーダリングシステム１に属さない、検査を行う医療機関である検査センタ５０が存在する。この、検査センタ５０では、後述するように、バーコードを用いてデータをデータベース化して管理している。
なお、図１においては、システム構成を簡単に説明するために、病院内システム１０と携帯電話機４０と検査センタ５０とを各々１つしか図示していないが、実際にはこれらは複数存在している。
【００１２】
［１．１．病院内システムの構成］
次に、病院内システム１０について説明する。
病院内システム１０には、アノトコードが印刷された検査依頼票に文字等を記入するためのアノトペン（登録商標）１０１と、アノトペン１０１よりデータを受信するパーソナルコンピュータ（以下、「パソコン」という）１０３とが備えられている。
【００１３】
［１．１．１．アノトコード］
ここで、アノトコードとは、アノト社が開発した、約６，０００万平方ｋｍの仮想的な平面座標空間に広がるドットのパターン群をいう。上記平面座標空間では、０．３ｍｍ間隔の平行線を左右方向および上下方向に引くことで生じる各交点（グリッド）から左、右、上または下の方向に僅かに変位させて各ドットが打たれる。各ドットの変位方向は、上記平面座標空間において、ある位置の周囲の６×６＝３６個のドットにより形成されるアノトコードが他の位置の周囲の３６個のドットにより形成されるアノトコードと一致しないことを担保する特定の規則に従って定められている。
このようなアノトコードは、多数の区画に分割され、様々な用途に割り当てられている。例えば、一部の区画は電子ノートパッド等の特定のアプリケーションに割り当てられ、また、他の区画は企業、公的機関、サービス業者等に割り当てられている。
【００１４】
［１．１．２．検査依頼票］
検査依頼票とは、病院において、医者が患者の検査を外部に依頼する際に依頼内容を記入するための用紙である。
図１には、２枚の検査依頼票１０２ａ、１０２ｂを図示しているが、実際には、多数存在する。以下の説明では、各々の検査依頼票を特に区別する必要がない場合には、検査依頼票１０２として説明するものとする。
検査依頼票１０２には、上記平面座標空間から割り当てられた特定の区画におけるアノトコードが、炭素質の黒インクで印刷されている。
また、検査依頼票１０２には、図２に示すように、患者属性（患者名・依頼番号）記入欄、医者コードチェック欄、病院コードチェック欄、外注先コードチェック欄、検査項目チェック欄が印刷されている。
ここで、患者属性記入欄には、アノトコードが印刷されたシール（以下、「患者属性シール」という）が貼り付けられている。当該患者属性シールに記入された患者名や依頼番号は、患者属性シールの下側の検査依頼票１０２に複写されるようになっている。そして、この患者属性シールは、患者名や依頼番号が記入された後、検査依頼票１０２から剥がされて、患者の検体が入れられた検体容器に貼り付けられるようになっている。
【００１５】
また、検査依頼票１０２の右下欄には、送信のチェックボックスが設けられている。この送信のチェックボックスには、「情報を送信する」という命令をアノトペン１０１に認識させるためのアノトコードが印刷されている。
【００１６】
［１．１．３．アノトペン］
次に、アノトペン１０１の構成について説明する。
アノトペン１０１は、図３に示すように、デジタルカメラ１０１１、制御部１０１２、メモリ１０１３、通信部１０１４、バッテリ１０１５及びインクカートリッジ１０１６を備えている。
【００１７】
デジタルカメラ１０１１は、アノトペン１０１の先端に内蔵されている。アノトペン１０１で検査依頼票１０２上に文字等を書き始めると、制御部１０１２はこれを検知する。これにより、デジタルカメラ１０１１は、ペン先近傍の検査依頼票１０２に赤外線を照射して、毎秒１００回の頻度で、ペン先近傍の画像を撮像する。
制御部１０１２は、アノトペン１０１各部の制御を行う。また、制御部１０１２は、デジタルカメラ１０１１が撮像した画像を解析する。炭素質の黒インクで印刷されたドットが赤外線を吸収することにより、制御部１０１２は、デジタルカメラ１０１１が撮像した画像からドットのパターンであるアノトコードを認識することができる。
そして、制御部１０１２は、画像中のアノトコードを数値化し、この数値をＸＹ座標に変換することによって、上述した仮想的な平面座標空間上の位置を示す位置情報を算出する。
メモリ１０１３は、制御部１０１２がアノトコードから算出した位置情報を記憶する。このメモリ１０１３には、Ａ４サイズの用紙に換算して約４０ページ分の位置情報を蓄積することができる。
通信部１０１４は、ブルートゥース（登録商標）による通信機能を有する。通信部１０１４は、メモリ１０１３に蓄積された位置情報をブルートゥースを用いてパソコン１０３に送信する。  バッテリ１０１５は、アノトペン１０１の動力源であり、アノトペン１０１のキャップがはずされるとアノトペン１０１に電力を供給する。
インクカートリッジ１０１６には、用紙上に文字や図形を描くためのインクが充填されている。
【００１８】
［１．１．４．パソコン］
次に、パソコン１０３について説明する。
パソコン１０３は、アノトペン１０１より検査データサーバ装置３０に位置情報を送信するための中継装置であり、一般的なパーソナルコンピュータの機能を有している。パソコン１０３は、一般的なＣＰＵ、記憶部、通信インターフェースの他に、ブルートゥース通信部を備えている。
また、パソコン１０３は、通信ネットワーク２０と接続されており、検査データサーバ装置３０とデータを送受信する。
また、パソコン１０３は、ブルートゥース通信部により、アノトペン１０１から、図示せぬ位置認識サーバ装置を経由して、複数の位置情報を受信する。
【００１９】
記憶部には、ＣＰＵに実行されることにより、以下の公知の機能をパソコン１０３に実現させるためのプログラムが記憶されている。
（１）アノトペン１０１から、複数の位置情報を受信したときに、受信した位置情報のうちのひとつを、図示せぬ位置認識サーバ装置に送信する。
（２）位置認識サーバ装置から位置情報の送信先を示す送信先情報を受信し、アノトペン１０１から受信した位置情報を、送信先情報で示される送信先に送信する。
【００２０】
ここで、位置認識サーバ装置とは、アノト技術における公知のサーバ装置であり、仮想的な平面座標空間上の位置情報と、当該位置情報で識別されるアノトコードが印刷された用紙に情報が記入された場合に、当該記入された情報をどの装置に送信するかを表す送信先情報とが記憶されているサーバ装置である。位置認識サーバ装置は、位置情報を受信したときに、当該位置情報に対応する送信先情報を抽出して、当該送信先情報を位置情報の送信元に返信する機能を有する。
なお、本実施形態においては、位置認識サーバ装置は、検査依頼票１０２に印刷されているアノトコードで識別される位置情報の送信先が、検査データサーバ装置３０であることを表す送信先情報を記憶している。
【００２１】
［１．２．検査データサーバ装置］
次に、検査データサーバ装置３０について説明する。
検査データサーバ装置３０は、検査の依頼データや結果データの管理を行う検査データセンタに設置されているサーバ装置である。
検査データサーバ装置３０は、一般的なＷＷＷ（Ｗｏｒｌｄ  Ｗｉｄｅ  Ｗｅｂ）サーバ装置の機能を有しており、ＣＰＵと、各種データを記憶するための記憶部と、通信ネットワーク２０を介して通信を行うための通信インターフェースとを備えている。
【００２２】
記憶部には、検査依頼票１０２上のアノトコードで識別される位置情報と、用紙上の項目欄とを対応付けるための、項目位置対応データを格納した項目位置対応ＤＢ（データベース；Ｄａｔａｂａｓｅ）３０１を備えている。
図４には、項目位置対応ＤＢ３０１に格納されている項目位置対応データのデータ構成を示す。項目位置対応データは、上述した仮想的な平面座標空間から切り取られた単位画像で表されるアノトコードを識別するためのアノト用紙番号、当該アノト用紙番号で表されるアノトコードが印刷されている用紙の種類（例えば、検査依頼票や各種伝票）を表す用紙種類、用紙上の項目欄の内容を識別するための項目欄、及び、項目欄の仮想的な平面座標空間上の領域を識別するための座標領域を表すデータとで構成される。
【００２３】
ここで、座標領域とは、開始座標を左上頂点座標とし、終了座標を右下頂点座標として、囲まれた四角形の領域をいう。例えば、図２に示された検査依頼票１０２ａの患者属性欄については、仮想的な平面座標空間上の座標を表す開始座標（１０，３０）と終了座標（６０，３５）とで囲まれた四角形の領域が、患者属性欄に対応する座標領域となる。
なお、本実施形態においては、検査依頼票１０２ａに印刷されているアノトコードには、アノト用紙番号「０００１」が割り振られており、項目位置対応ＤＢ３０１には、図４に示される、検査依頼票１０２ａに関する項目位置対応データが格納されているものとする。
【００２４】
また、記憶部には、依頼データを格納するための依頼ＤＢ３０２と結果データを格納するための結果ＤＢ３０３とが記憶されている。
図５には、依頼データのデータ構成を示す。
依頼データは、アノトペン１０１から送信される検査依頼票１０２上の項目欄に記入された内容を表す情報（患者属性、医者コード、病院コード、外注先コード、検査項目を表す情報）の他、これらの情報と対応付けられた、携帯電話機４０から送信されるバーコード情報とで構成される。
【００２５】
図６には、結果データのデータ構成を示す。
結果データは、バーコード情報と、検査項目と検査結果とを表す情報とで構成される。結果データは、検査センタ５０より送信され、結果ＤＢ３０３に格納される。
【００２６】
また、記憶部には、ＣＰＵに実行されることにより、検査データサーバ装置３０に以下の機能を実現させるための検査データセンタプログラムが記憶されている。
（１）パソコン１０３から送信された複数の位置情報が、項目位置対応データのどの座標領域に含まれているかを判定することにより、アノトペン１０１によって検査依頼票１０２上のどの項目欄に記入されたかを判定する機能。
（２）（１）で判定された項目欄が、文字や数字を記入するための記入欄である場合には、当該記入欄に記入された文字や数字を表す位置情報からイメージデータを生成した後、さらに、当該イメージデータをテキストデータに変換して、依頼ＤＢ３０２に格納する機能。
（３）（１）で判定された項目欄が、項目欄に対応する項目内容を選択するためのチェックボックスである場合には、当該チェックボックスに対応する情報内容を表すテキストデータを依頼ＤＢ３０２に格納する機能。
【００２７】
また、記憶部には、受信したＨＴＴＰリクエストによって要求されるＨＴＭＬ（Ｈｙｐｅｒｔｅｘｔ  Ｍａｒｋｕｐ  Ｌａｎｇｕａｇｅ）ファイルを生成して送信するためのプログラムが記憶されている。
【００２８】
［１．３．携帯電話機の構成］
次に、携帯電話機４０の構成について説明する。
携帯電話機４０は、一般的な、携帯電話機４０を構成する各部を制御するＣＰＵ（Ｃｅｎｔｒａｌ  Ｐｒｏｃｅｓｓｉｎｇ  Ｕｎｉｔ）、無線通信を行うための無線通信部、通話を行うための通話部、ＣＰＵに操作信号を出力するためのキーボードを備える操作部、各種画面を表示する表示部、及び、各種データを記憶する記憶部を備えている。また、携帯電話機４０は、ブルートゥースによる短距離無線通信を行うためのブルートゥース通信部を備えている。また、携帯電話機４０は、バーコードリーダを接続して、バーコードリーダにより読みとられたデータを入力するための外部機器インターフェースを備えている。
また、携帯電話機４０は、記憶部に記憶されているＷＷＷ（Ｗｏｒｌｄ  Ｗｉｄｅ  Ｗｅｂ）ブラウザを起動し、ＨＴＴＰ（Ｈｙｐｅｒｔｅｘｔ  Ｔｒａｎｓｆｅｒ  Ｐｒｏｔｏｃｏｌ）に従ったＨＴＴＰリクエストを通信ネットワーク２０へ送出するとともに、当該メッセージに対するＨＴＴＰレスポンスを受け取る機能を有する。
【００２９】
また、記憶部には、検査データサーバ装置３０より依頼データを受信し、依頼データとバーコードリーダにより読みとられたバーコードの表すデータとを対応付け、これらのデータを検査データサーバ装置３０に返信するためのデータ関連付プログラムが記憶されている。このデータ関連付プログラムは、図示せぬサーバ装置より携帯電話機４０にダウンロードされる。
【００３０】
［１．４．検査センタ］
次に、検査センタ５０について説明する。
検査センタ５０は、検体を検査する医療機関である。検査センタ５０には、図７に示すように、検体の検査結果を管理するための検査センタサーバ装置５０１が設置されている。
また、検査センタサーバ装置５０１と検査データサーバ装置３０とは、図示せぬ専用線で接続されている。
また、検査センタサーバ装置５０１には、バーコードリーダ５０２やパーソナルコンピュータ５０３が接続されている。
検査センタサーバ装置５０１の記憶部には、検査データサーバ装置３０に記憶されている依頼データを参照するためのプログラムや、パーソナルコンピュータ５０３より入力された検査結果を表す結果データを検査データサーバ装置３０に送信するためのプログラムが記憶されている。
【００３１】
［２．動作］
次に、上記構成の検査オーダリングシステム１の動作について、図１を参照しながら説明する。
本実施形態の動作においては、検査依頼票１０２ａを使用することとする。
また、携帯電話機４０には、図示せぬサーバ装置より、データ関連付プログラムがダウンロードされているものとする。
【００３２】
［２．１．検査依頼］
まず、医者Ａが、患者「佐藤  太郎」の血液について、検査依頼を行うために、検査依頼票１０２ａに必要事項を記入するときの動作について説明する。
まず、医者Ａは、アノトペン１０１のキャップをはずして、検査依頼票１０２ａの「患者属性」欄に“佐藤  太郎  ０３０２０１００１”と記入し、「医者コード」欄の“１”に対応するチェックボックスにチェックし、「病院コード」欄の“２”に対応するチェックボックスにチェックし、「外注先コード」欄の“５”に対応するチェックボックスにチェックし、さらに、検査項目の“血液検査”に対応するチェックボックスにチェックする。
【００３３】
このように、医者Ａが、アノトペン１０１を用いて記入することにより、アノトペン１０１が検査依頼票１０２ａ上を動き始めると、アノトペン１０１の制御部１０１２は、デジタルカメラ１０１１に対して撮像を開始するよう指示する。これにより、デジタルカメラ１０１１は、ペン先近傍の検査依頼票１０２ａ上に赤外線を照射して、１秒間に１００回の頻度で検査依頼票１０２ａを撮像し始める。制御部１０１２は、逐次撮像される画像から、上述した仮想的な平面座標空間上の位置を示す位置情報を算出して、これらの複数の位置情報をメモリ１０１３に蓄積する。
【００３４】
医者Ａは、必要事項を全て記入し終わった後、アノトペン１０１で、検査依頼票１０２ａ上の「送信」のチェックボックスをチェックする。
これにより、アノトペン１０１の制御部１０１２は、メモリ１０１３に蓄積されている複数の位置情報を読み出し、当該位置情報を通信部１０１４からパソコン１０３に送信する。
【００３５】
パソコン１０３のＣＰＵは、アノトペン１０１より受信した複数の位置情報のうちのひとつを位置認識サーバ装置に送信する。位置認識サーバ装置は、記憶部より、受信した位置情報に対応する、検査データサーバ装置３０の送信先情報を抽出する。そして、位置認識サーバ装置は、この抽出された送信先情報を、パソコン１０３に送信する。
パソコン１０３のＣＰＵは、この送信先情報を受信し、当該受信した送信先情報で表される検査データサーバ装置３０宛に、アノトペン１０１から受信した複数の位置情報を送信する。
【００３６】
検査データサーバ装置３０のＣＰＵは、パソコン１０３より複数の位置情報を受信し、記憶部より検査データセンタプログラムを読み出して実行する。
ＣＰＵは、項目位置対応ＤＢ３０１に格納されている項目位置対応データの座標領域を基に、受信した各々の位置情報が、どの座標領域に含まれているかを判定する。
そして、ＣＰＵは、患者属性の項目欄に対応する座標領域（開始座標（１０、３０）、終了座標（６０、３５）の四角形で囲まれた領域）に含まれると判定された位置情報が存在することから、アノト用紙番号「０００１」の検査依頼票１０２ａの患者属性欄に文字が記入されたことを認識する。そして、ＣＰＵは、患者属性欄に対応する座標領域に含まれる複数の座標情報から、患者属性「佐藤  太郎  ０３０２０１００１」を表すイメージデータを生成する。そして、ＣＰＵは、当該イメージデータをテキストデータに変換する。
また、ＣＰＵは、医者コード“１”に対応する座標領域（開始座標（１０、４０）、終了座標（１５、４０）の四角形で囲まれた領域）に含まれると判定された位置情報が存在することから、アノト用紙番号「０００１」で識別される検査依頼票１０２ａの医者コード欄「１」に対応するチェックボックスがチェックされたことを判定する。
また、ＣＰＵは、同様の手順で、アノト用紙番号「０００１」で識別される検査依頼票１０２ａの病院コード欄「２」に対応するチェックボックスがチェックされたことを判定する。また、ＣＰＵは、同様の手順で、アノト用紙番号「０００１」で識別される検査依頼票１０２ａの外注先コード欄「５」に対応するチェックボックスがチェックされたことを判定する。また、ＣＰＵは、同様の手順で、アノト用紙番号「０００１」で識別される検査依頼票１０２ａの検査項目欄「血液検査」に対応するチェックボックスがチェックされたことを判定する。
【００３７】
そして、ＣＰＵは、アノト用紙番号「０００１」と、上記テキストに変換された患者属性（「佐藤  太郎  ０３０２０１００１」）と、チェックされたと判定されたチェックボックスに対応する情報内容を表すテキストデータ（医者コード「１」、病院コード「２」、外注先コード「５」、検査項目「血液検査」を表すデータ）とを、依頼データとして、依頼ＤＢ３０２に格納する。
【００３８】
［２．２．検体採取］
次に、看護婦Ｂが、患者「佐藤  太郎」より検体を採取するときの動作について説明する。
看護婦Ｂは、医者Ａより、上述した［２．１．検査依頼］において記入された検査依頼票１０２ａを入手する。
また、看護婦Ｂは、検体を入れるための試験管等の検体容器を用意する。
そして、看護婦Ｂは、患者「佐藤  太郎」より血液（検体）を採取し、検体容器に入れる。そして、看護婦Ｂは、検査依頼票１０２ａの患者属性記入欄より患者属性シールを剥がして、検体容器に貼り付ける。
【００３９】
［２．３．検体集配］
次に、検査センタ集配人Ｃが、病院から検査センタ５０に、検体容器を集配するときの動作について説明する。
前提として、検査センタ集配人Ｃは、検査センタ５０が発行したバーコードシールと、携帯電話機４０と、当該携帯電話機４０の外部機器インターフェースに接続可能なバーコードリーダとを携帯している。
【００４０】
まず、検査センタ集配人Ｃは、患者「佐藤  太郎、０３０２０１００１」の患者属性シールが貼られた検体容器に、検査センタ５０が発行したバーコードシールを貼る。そして、検査センタ集配人Ｃは、携帯電話機４０の操作部を操作して、データ関連付プログラムを起動するための操作を行う。
これにより、携帯電話機４０のＣＰＵは、データ関連付プログラムを起動して実行する。そして、ＣＰＵは、携帯電話機４０の表示部に、患者を検索するための画面を表示する。
検査センタ集配人Ｃは、携帯電話機４０の操作部を操作して、検索用の検索用データ（患者名「佐藤  太郎」または／及び、依頼番号「０３０２０１００１」を表すデータ）を入力する。
これにより、携帯電話機４０のＣＰＵは、検査データサーバ装置３０宛に、検索用データを内包したＨＴＴＰリクエストを送信する。
【００４１】
検査データサーバ装置３０のＣＰＵは、受信したＨＴＴＰリクエストに内包される検索用データを抽出する。そして、ＣＰＵは、検索用データを内包する依頼データを、依頼ＤＢ３０２より抽出する。
ここでは、患者属性「佐藤  太郎  ０３０２０１００１」を内包する依頼データが抽出される。
そして、検査データサーバ装置３０のＣＰＵは、抽出された依頼データを表示するためのＨＴＭＬを生成し、当該ＨＴＭＬを内包したＨＴＴＰレスポンスを、携帯電話機４０宛に送信する。
【００４２】
携帯電話機４０のＷＷＷブラウザは、ＨＴＴＰレスポンスに内包されているＨＴＭＬを解釈し、表示部に、患者属性「佐藤  太郎  ０３０２０１００１」の依頼データを表示する。
検査センタ集配人Ｃは、携帯電話機４０の外部機器インターフェース部にバーコードリーダを差し込む。そして、検査センタ集配人Ｃは、表示部に患者属性「佐藤  太郎  ０３０２０１００１」の依頼データが表示された状態で、バーコードリーダにより、検体容器に貼り付けられたバーコードシールを読み取る。そして、検査センタ集配人Ｃは、携帯電話機４０の操作部を操作して、送信の指示を行う。
これにより、携帯電話機４０のＣＰＵは、バーコードリーダで読み取られたバーコードが表すバーコード情報「１２３４５」を内包した依頼データを生成し、当該依頼データを内包したＨＴＴＰリクエストを、検査データサーバ装置３０宛に送信する。
【００４３】
検査データサーバ装置３０のＣＰＵは、受信したＨＴＴＰリクエストに内包される依頼データを抽出する。そして、依頼データに内包される患者属性データで表される患者属性「佐藤  太郎  ０３０２０１００１」をキーにして、依頼ＤＢ３０２を検索して抽出する。そして、ＣＰＵは、抽出された依頼データに対して、受信された依頼データに内包されるバーコード情報「１２３４５」を付加する。そして、ＣＰＵは、バーコード情報が付加された依頼データで、依頼ＤＢ３０２に格納されている、患者属性「佐藤  太郎  ０３０２０１００１」を内包する依頼データを更新する。
【００４４】
検査センタ集配人Ｃは、上記作業を行った後、検体容器を検査センタ５０に運ぶ。
【００４５】
［２．４．検査センタでの処理］
検査センタ５０の検査員Ｄは、検査センタ集配人Ｃが運んできた患者「佐藤  太郎」の検体容器に貼り付けられているバーコードを、検査センタサーバ装置５０１に接続されているバーコードリーダ５０２で読み取る。
これにより、検査センタサーバ装置５０１は、読み取られたバーコード情報で表される「１２３４５」をキーに、検査データサーバ装置３０の依頼ＤＢ３０２に格納されている依頼データを検索し、患者「佐藤  太郎」の依頼データを、検査センタサーバ装置５０１に接続されているパーソナルコンピュータ５０３のディスプレイに表示する。
検査員Ｄは、ディスプレイに表示された患者「佐藤  太郎」の依頼データより、血液の検査依頼であることを確認する。
そして、検査員Ｄは、患者「佐藤  太郎」の血液検査を行った後、患者「佐藤太郎」の依頼データに対する、血液の検査結果を表す結果データを、パーソナルコンピュータ５０３が備えるキーボードを操作して入力する。
検査センタサーバ装置５０１は、結果データを検査データサーバ装置３０に送信する。
検査データサーバ装置３０は、受信した結果データを記憶部の結果ＤＢ３０３に格納する。
【００４６】
以上のように、病院内システム１０をアノト技術で構築することで、正確かつ確実に、検体と検査依頼票１０２とを関連づけることができる。
また、バーコード情報と依頼データとを、携帯電話機４０に記憶されているデータ関連プログラムを用いて関連づけることによって、アノト技術を用いた病院内システム１０におけるデータ管理のシステムと、アノト技術を用いない検査センタ５０におけるデータ管理のシステムとの連携が可能となる。
【００４７】
また、検査センタ５０においては、検体をバーコード情報と対応づけて管理しているため、検査センタ集配人Ｃは、検査センタ５０発行のバーコードシールを検体容器に貼り付けて、当該バーコードシールをバーコードリーダで読み取らせるだけで、依頼データとバーコード情報とを関連付けることができる。
また、検査センタ集配人Ｃは、バーコードシールを検体容器に貼り付けてから、携帯電話機４０の表示部に患者属性シールに記入された患者名を表示させて、バーコードシールをバーコードリーダで読み取る手順としているため、正確に依頼データとバーコード情報とを関連付けることができる。
【００４８】
また、アノト技術を用いたことにより、検査依頼票１０２にアノトペン１０１で記入した内容を表す依頼データを、即座に検査データサーバ装置３０に送信することができる。このため、検査センタ５０の検査員Ｄは、検査データサーバ装置３０の依頼ＤＢ３０２に格納された依頼データを参照することで、検査の依頼内容を迅速に把握して準備を整え、検体容器が届いた後、検査を迅速に行うことができる。
また、アノト技術は、ブルートゥースという無線通信技術を用いているため、パソコン１０３より１００ｍ以内であれば、どの位置でもアノトペン１０１を使用することができ、さらには、パソコン１０３を携帯すれば、例えば、車内でもアノトペン１０１を使用することができる。
【００４９】
また、検査データセンタの検査データサーバ装置３０には、依頼データや結果データが記憶されるため、検査データセンタは、結果データを、患者の所有する携帯電話機や、病院内システム１０のパソコン１０３や、検査センタ５０の営業員が所有する携帯電話機に配信するサービスを行うことができる。
また、検査データセンタは、依頼データや結果データを基に、データ集計や分析のサービスを行うことができる。
【００５０】
また、患者属性シールのような、アノトコードが印刷された複写式のシールを用いれば、患者属性シールに１回だけ患者属性を記入するだけで、記入内容をデータベース化することができ、かつ、検査依頼票１０２に記入内容を複写することができ、かつ、患者属性シールを検査依頼票１０２より剥がして検体容器に貼り付けることができる。
【００５１】
［３．変形例］
本発明は、上述した実施形態に限定されず、その技術思想の範囲内で以下のような種々の変更が可能である。
【００５２】
（１）上記実施形態においては、病院と検査センタとの異なるシステム間におけるデータの関連付方法について説明したが、本発明に係るデータ関連付方法が適用できるのは、病院と検査センタの間のみには限定されない。
本発明におけるデータの関連付方法は、第１のシステムにおいて識別子を用いて物と電子データが関連付けられており、この関連付を、第１のシステムとは異なる識別子体系により物と電子データとの関連付けを管理する第２のシステムにおいて利用する必要がある場合に有効である。
【００５３】
（２）上記実施形態においては、検査データサーバ装置３０の記憶部に、病院からの依頼データを格納しておくための依頼ＤＢ３０２や、検査センタ５０における結果データを格納しておくための結果ＤＢ３０３を設けたが、依頼データや結果データの格納場所は、これに限定されない。例えば、依頼データや結果データは、病院内システム１０や検査センタ５０に設置された、ネットワーク経由でアクセス可能なサーバ装置に記憶させるようにしてもよい。
【００５４】
また、上記実施形態においては、項目位置対応データを格納しておくための項目位置対応ＤＢ３０１を検査データサーバ装置３０に設けたが、項目位置対応データの格納場所は、これに限定されない。例えば、項目位置対応データが、位置認識サーバ装置に記憶されていてもよい。また、項目位置対応データのデータ構成は一例であり、アノト技術による位置情報から情報内容を取得するための方式や、用意するデータベース等は、最適な形態を選択することができる。例えば、上記実施形態においては、仮想的な平面座標空間上における絶対座標を用いて、検査依頼票１０２上の項目欄の位置を表したが、これは、位置を表す方法の一例に過ぎず、例えば、前記絶対座標を検査依頼票１０２上の左下端点座標を原点（０，０）とする相対座標に変換して、相対座標でこの検査依頼票１０２上の位置を表してもよい。
【００５５】
（３）上記実施形態においては、バーコードシールが、検体容器に貼り付けられてからバーコードリーダで読み取られるとして説明したが、これに限定されず、検体容器に貼り付けられる前に読み取られてもよいし、また、読み取られなくてもよい。
読み取られない態様としては、例えば、検査センタ集配人Ｃが、バーコードシールで表されるバーコード情報を、携帯電話機４０の操作部を操作することにより手入力し、その前あるいは後に、バーコードシールを検体容器に貼り付ける態様が考えられる。
【００５６】
（４）上記実施形態においては、病院内システム１０より依頼データが送信されてから、携帯電話機４０よりバーコード情報が入力されるとして説明したが、逆に、バーコード情報が入力された後に、依頼データが送信されてもよい。
【００５７】
（５）上記実施形態においては、検査依頼票１０２をアノトペン１０１で読み取り、また、バーコードシールをバーコードリーダで読み取ることにより、これらの装置で読み取られたデータを依頼ＤＢ３０２に格納したが、データを読み取る手段は「装置」に限定されない。例えば、人が、バーコードシールや検査依頼票に記入された内容を読み取って、読み取った内容を端末装置より入力してもよい。
【００５８】
（６）患者属性シールは、タグであってもよい。また、バーコードシールは、タグであってもよいし、バーコードの表す内容を検体容器に直接記入してもよい。
（７）上記実施形態においては、患者属性シールやバーコードシールを用いて、当該シール上に印刷されたアノトコードやバーコードで表されるデータ内容を読み取って依頼ＤＢ３０２に格納したが、シールを用いる替わりに、データを記憶させた非接触ＩＣ（Ｉｎｔｅｇｒａｔｅｄ  Ｃｉｒｃｕｉｔ）カードのような不揮発性メモリを用いてもよい。
【００５９】
（８）上記実施形態においては、位置情報をアノトペン１０１から検査データサーバ装置３０へ送信するための中継装置として、パソコン１０３を用いたが、ブルートゥース通信機能を備えている装置であれば、携帯電話機、ＰＨＳ（Ｐｅｒｓｏｎａｌ  Ｈａｎｄｙｐｈｏｎｅ  Ｓｙｓｔｅｍ：登録商標）端末、ＰＤＡ（Ｐｅｒｓｏｎａｌ  Ｄｉｇｉｔａｌ  Ａｓｓｉｓｔａｎｔ）等を用いてもよい。
（９）上記実施形態においては、検査依頼票１０２の送信欄をアノトペン１０１でチェックすることによって、検査依頼票１０２に記入した内容を表す位置情報をパソコン１０３に送信したが、パソコン１０３とアノトペン１０１とをＵＳＢ（Ｕｎｉｖｅｒｓａｌ  Ｓｅｒｉａｌ  Ｂｕｓ）接続する機器を用いることにより、アノトペン１０１からパソコン１０３に位置情報を送信するようにしてもよい。
また、上記実施形態においては、ブルートゥースを用いて、アノトペン１０１からパソコン１０３に位置情報を送信したが、通信手段はブルートゥースに限定されず、ＩｒＤＡ（Ｉｎｆｒａｒｅｄ  Ｄａｔａ  Ａｓｓｏｃｉａｔｉｏｎ）等の無線通信手段でも、有線による通信手段でもよい。
【００６０】
（１０）上記実施形態においては、検査依頼票１０２に記入された依頼データを、アノト技術を用いて、依頼ＤＢ３０２に格納するようにしたが、依頼データを依頼ＤＢ３０２に格納する方法は、アノト技術に限定されない。
例えば、ＯＣＲを用いてもよいし、手入力をしてもよい。また、依頼データは、テキストデータに限定されず、イメージデータであってもよい。
（１１）上記実施形態においては、病院内システム１０から検査センタ５０に検体を運搬する態様について説明したが、例えば、検体を病院の部屋間を近距離で移動させる態様であってもよい。
【００６１】
（１２）上記実施形態においては、バーコードシールをバーコードリーダで読み取ることにより、バーコード情報を生成したが、これに限定されない。例えば、数値が印刷されたシールをイメージスキャナで読み取って文字認識させ、当該文字列で表される数値を、バーコード情報の替わりに用いてもよい。
【００６２】
【発明の効果】
以上説明したように、本発明によれば、ある識別子体系を用いて電子データに関連付けられた物を、他の識別子体系を用いて当該電子データに再び関連付ける作業を容易とすることができる。
【図面の簡単な説明】
【図１】本発明の実施形態に係る検査オーダリングシステムの構成を示すブロック図である。
【図２】同実施形態に係る検査依頼票を説明するための図である。
【図３】同実施形態に係るアノトペンのハードウェア構成を説明するための図である。
【図４】同実施形態に係る項目位置対応ＤＢのデータ構成を説明するための図である。
【図５】同実施形態に係る依頼ＤＢのデータ構成を説明するための図である。
【図６】同実施形態に係る結果ＤＢのデータ構成を説明するための図である。
【図７】同実施形態に係る検査センタの構成を説明するための図である。
【符号の説明】
１……検査オーダリングシステム、１０……病院内システム、２０……通信ネットワーク、３０……検査データサーバ装置、３０１……項目位置対応ＤＢ、３０２……依頼ＤＢ、３０３……結果ＤＢ、４０……携帯電話機、５０……検査センタ、１０１……アノトペン、１０１１……デジタルカメラ、１０１２……制御部、１０１３……メモリ、１０１４……通信部、１０１５……バッテリ、１０１６……インクカートリッジ、１０２、１０２ａ、１０２ｂ……検査依頼票、１０３……パソコン、５０１……検査センタサーバ装置、５０２……バーコードリーダ、５０３……パーソナルコンピュータ。
【図１】
2004341829.tif 000003
【図２】
2004341829.tif 000004
【図３】
2004341829.tif 000005
【図４】
2004341829.tif 000006
【図５】
2004341829.tif 000007
【図６】
2004341829.tif 000008
【図７】
2004341829.tif 000009